(57)【要約】【課題】電池からのケーブルについて、ケーブルのたわみを規制することができる電子機器カバーを実現する。【解決手段】平面状のカバー本体の一端縁に設けられたヒンジ状部によりケース本体に係止されケース本体に設けられた開口部をカバー本体が覆う電子機器カバーにおいて、前記カバー本体に取り付けられた電池本体と、この電池本体に一端が接続されるケーブルと、このケーブルの他端に接続され前記ケース本体の開口部内の基板上に設けられたコネクタに接続されるコネクタと、前記カバー本体に設けられ前記ケーブルの途中が係止され前記カバー本体の開閉に伴い前記ケーブルの途中が前記ケーブルのたるみを吸収できるようにカバー本体の平面に平行に移動でき且つ係止される移動係止手段と、を具備したことを特徴とする電子機器カバーである。【選択図】図１
2014123776.tif 000002
【特許請求の範囲】
【請求項１】
平面状のカバー本体の一端縁に設けられたヒンジ状部によりケース本体に係止されケース本体に設けられた開口部をカバー本体が覆う電子機器カバーにおいて、
前記カバー本体に取り付けられた電池本体と、
この電池本体に一端が接続されるケーブルと、
このケーブルの他端に接続され前記ケース本体の開口部内の基板上に設けられたコネクタに接続されるコネクタと、
前記カバー本体に設けられ前記ケーブルの途中が係止され前記カバー本体の開閉に伴い前記ケーブルの途中が前記ケーブルのたるみを吸収できるようにカバー本体の平面に平行に移動でき且つ係止される移動係止手段と、
を具備したことを特徴とする電子機器カバー。
【請求項２】
前記移動係止手段は、カバー本体の一端縁側に一端が接続され途中が前記カバー本体の平面と平行をなして前記カバー本体と前記ケーブルの途中を挟持し他端が前記カバー本体との間に他端の弾性変形により前記ケーブルの途中が通過できるような隙間を有する係止腕
を具備したことを特徴とする請求項１記載の電子機器カバー。
【発明の詳細な説明】
【技術分野】
【０００１】
本発明は、電子機器カバーに関するものである。
【背景技術】
【０００２】
図１０は従来より一般に使用されている従来例の要部構成説明図である。
図において、電子機器のケース１の側面の内部などに付いた基板２の上のコネクタ４１にカバー３１を付ける場合、図１０に示す如く、ヒンジ状にカバー３１を取付ける。
ケース１の上下に突起部３を付け、カバー３１には穴３２を付けて、ケースの突起部３をカバーの穴３２に入れて、カバー３１とケース１を組立てる。
【０００３】
カバー３１には、コネクタ４１にコネクタ接続される電池１１が取り付けられている。
電池１１にはケーブル１２とコネクタ１３が付いている。
そして、電池１１をケース１内で保持するために、カバー３１の下側には、電池１１を保持するための溝３３が付いている。
また、カバー３１の上側にも同様に電池１１を保持するための爪３４が付いている。
【０００４】
基板２の上には、電池のコネクタ１３を接続するコネクタ４１が付いている。
カバー３１に電池１１を取付け後、電池１１のコネクタ１３を基板上のコネクタ４１に接続させる。
ケースの突起部３に、カバー３１の穴３２を挿入し、カバーの止爪３５をケースの止爪４に付けて、カバー３１を閉じる。
【先行技術文献】
【特許文献】
【０００５】
【特許文献１】特開平０９−１７０６１９号公報
【特許文献２】特開２００２−０５１１３１号公報
【特許文献３】特開２００２−１３９０２４号公報
【特許文献４】特開２００４−０８５０７１号公報
【特許文献５】特開２００６−０５８４１４号公報
【特許文献６】特開２００6−１２９０３８号公報
【特許文献７】特開２００7−０１３８１３号公報
【発明の概要】
【発明が解決しようとする課題】
【０００６】
このような装置においては、以下の問題点がある。
ケース１に取付いた状態では、電池１１から基板上のコネクタ４１に接続されたケーブル１２の位置が定まらず、ケーブル１２が基板の部品搭載側や基板の反対面側に配置されるかもしれない。
このとき、下記の問題がある。
【０００７】
ケーブル１２が基板の部品搭載側にたわんだ際、ケーブル１２が基板上の部品に接触すると、部品が基板２から外れたり、部品が破壊したりする可能性がある。
ケース１に振動が加わった場合、ケーブル１２が振動で動き、基板２上の部品に接触して、部品が基板２から外れたり、部品が破壊したりする可能性がある。
【０００８】
本発明の目的は、上記の課題を解決するもので、電池からのケーブルについて、ケーブルのたわみを規制することができる電子機器カバーを提供することにある。
【課題を解決するための手段】
【０００９】
このような課題を達成するために、本発明の請求項１の電子機器カバーにおいては、
平面状のカバー本体の一端縁に設けられたヒンジ状部によりケース本体に係止されケース本体に設けられた開口部をカバー本体が覆う電子機器カバーにおいて、前記カバー本体に取り付けられた電池本体と、この電池本体に一端が接続されるケーブルと、このケーブルの他端に接続され前記ケース本体の開口部内の基板上に設けられたコネクタに接続されるコネクタと、前記カバー本体に設けられ前記ケーブルの途中が係止され前記カバー本体の開閉に伴い前記ケーブルの途中が前記ケーブルのたるみを吸収できるようにカバー本体の平面に平行に移動でき且つ係止される移動係止手段と、を具備したことを特徴とする。
【００１０】
本発明の請求項２の電子機器カバーにおいては、請求項１記載の電子機器カバーにおいて、前記移動係止手段は、カバー本体の一端縁側に一端が接続され途中が前記カバー本体の平面と平行をなして前記カバー本体と前記ケーブルの途中を挟持し他端が前記カバー本体との間に他端の弾性変形により前記ケーブルの途中が通過できるような隙間を有する係止腕を具備したことを特徴とする。
【発明の効果】
【００１１】
本発明の請求項１によれば、次のような効果がある。
ケーブルが基板の部品搭載側にたわんだ際、ケーブルが基板上の部品に接触して、部品が基板から外れたり、部品が破壊したりする恐れのない電子機器カバーが得られる。
ケースに振動が加わった場合、ケーブルが振動で動き、基板上の部品に接触して、部品が基板から外れたり、部品が破壊したりする恐れのない電子機器カバーが得られる。
【００１２】
本発明の請求項２によれば、次のような効果がある。
請求項２の効果に加えて、更に、ケーブルの途中を容易に着脱でき、組立性に優れる電子機器カバーが得られる。
【図面の簡単な説明】
【００１３】
【図１】本発明の一実施例の要部構成説明図である。
【図２】図１の要部斜視説明図である。
【図３】図１の要部正面説明図である。
【図４】図３のＳ-Ｓ断面図である。
【図５】図１の動作説明図である。
【図６】図１の動作説明図である。
【図７】図１の動作説明図である。
【図８】図１の動作説明図である。
【図９】図１の動作説明図である。
【図１０】従来より一般に使用されている従来例の要部構成説明図である。
【発明を実施するための形態】
【００１４】
以下本発明を図面を用いて詳細に説明する。
図１は本発明の他の実施例の要部構成説明図、図２は図１の要部斜視説明図、図３は図１の要部正面説明図、図４は図３のＳ-Ｓ断面図、図５，図６，図７，図８，図９は図１の動作説明図である。
【００１５】
図１において、電池本体１１は、カバー本体７１に取り付けられている。
ケーブル１２は、この電池本体１１に一端が接続される。
コネクタ１３は、このケーブル１２の他端に接続され、ケース本体１の開口部から見えるコネクタ４１に接続される。
【００１６】
移動係止手段７２は、カバー本体７１に設けられ、ケーブル１２の途中が係止され、カバー本体７１の開閉に伴い、ケーブル１２の途中が、ケーブル１２のたるみを吸収できるように、カバー本体７１の平面に平行に移動でき、且つ、係止される。
【００１７】
この場合は、移動係止手段７２は、カバー本体７１の一端縁側に一端７３１が接続され、途中７３２がカバー本体７１の平面と平行をなして、カバー本体７１とケーブル１２の途中を挟持し、他端７３３がカバー本体７１との間に他端の弾性変形により、ケーブル１２の途中が通過できるような隙間７３４を有する係止腕７３を有する。
【００１８】
以上の構成において、組立方法は下記の如くなる。
電池１１を傾けながら、カバー７１の溝３３に入れる。
電池１１の上側を押して、カバー７１の上側のツメ３４に電池１１を引っ掛け、電池１１をツメ３４で保持させる。
電池のケーブル１２を係止腕７３とカバー７１との隙間７３４に入れる。
ケース１内の基板上のコネクタ４１に電池のコネクタ１３を接続する。
【００１９】
図５に、電池１１をカバー７１に保持させ、電池のコネクタ１３を基板上のコネクタ４１に接続してからケース１の側面にカバー７１をはめた状態の図を示す。
この図ではケース１とカバー７１の開放角度は約９０度である。
【００２０】
図６は、図５の状態で、電池のケーブル１２がどのような屈曲状態になっているかを示した図である。なお、図６ではケース１を省略している。
図６の状態では、ケーブル１２は、ケーブル１２を引っ掛けた係止腕７３とカバー７１との隙間に対して、カバーの一端縁５２の近くに位置する。
これはカバー７１の開放角度が広いため、電池のコネクタ１３を接続した基板上のコネクタ４１と電池１１との距離が遠いためである。
【００２１】
図７は、図５と同様の状態であるが、カバー７１の開放角度が約４５度となっている。なお、図８ではケース１を省略している。
図８の状態ではケーブル１２は、ケーブル１２を引っ掛けた係止腕７３とカバー７１との隙間に対して、係止腕７３中央付近に位置する。
【００２２】
これはカバー７１の開放角度が狭くなったことで、ケーブル１２が係止腕７３の中央付近に位置したことと、先ほどの図６の状態よりもケーブル１２の長さに余りが生じてケーブルがたわみ始めたため、ケーブル１２の弾性によってケーブル１２の位置が、係止腕７３とカバー７１との隙間の中央付近に移動したためである。
【００２３】
図９は電池を付けた状態のカバー７１を、ケース１に取付けた（閉めた）状態の図である。
なお、カバー７１、基板上のコネクタ４１、電池１１と電池のケーブル１２と電池のコネクタ１３以外の部品は省略している。
【００２４】
この状態ではケーブル１２は、ケーブル１２を引っ掛けた係止腕７３とカバー７１との隙間に対して、係止腕７３の他端７３３側に位置する。
これはカバー７１をケース１に付けたことで、図８の状態よりもさらにケーブル１２の長さに余りが生じてケーブル１２が更にたわんだため、ケーブル１２の弾性によって、ケーブル１２が係止腕７３の他端７３３側に移動したためである。
【００２５】
図９の状態では、ケーブル１２は係止腕７３から外れることはないので、ケーブル１２が基板２側に移動することはない。
また、ケーブル１２に振動がかかったとしても、ケーブル１２は係止腕７３で動きが規制されているため、ケーブル１２が基板２の側に移動することはない。
【００２６】
次に、係止腕７３が無い場合について述べる。
電池１１をカバー７１に取付ける際、ケーブル１２のたわむ量が増えるため、ケーブル１２が基板２側に屈曲する可能性が高い。
ケーブル１２が基板２側に屈曲して、ケーブル１２が基板２上の部品に接触すると、部品が基板２から外れたり、部品が破壊したりする可能性がある。
【００２７】
この結果、
ケーブル１２が基板２の部品搭載側にたわんだ際、ケーブル１２が基板２上の部品に接触して、部品が基板から外れたり、部品が破壊したりする恐れのない電子機器カバーが得られる。
【００２８】
ケース１に振動が加わった場合、ケーブル１２が振動で動き、基板２上の部品に接触して、部品が基板から外れたり、部品が破壊したりする恐れのない電子機器カバーが得られる。
ケーブル１２の途中を、係止腕７３に容易に着脱でき、組立性に優れる電子機器カバーが得られる。
【００２９】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００３０】
１      ケース
２      基板
３      突起部
４      止爪
５      係止穴
１１    電池
１２    ケーブル
１３    コネクタ
３１    カバー
３２    穴
３３    溝
３４    爪
３５    止爪
４１    コネクタ
７１    カバー本体
７２    移動係止手段
７３    係止腕
７３１  一端
７３２  途中
７３３  他端
７３４  隙間
【図１】
2014123776.tif 000003
【図２】
2014123776.tif 000004
【図３】
2014123776.tif 000005
【図４】
2014123776.tif 000006
【図５】
2014123776.tif 000007
【図６】
2014123776.tif 000008
【図７】
2014123776.tif 000009
【図８】
2014123776.tif 000010
【図９】
2014123776.tif 000011
【図１０】
2014123776.tif 000012